(57)【要約】  ２つの同じ細長いトレー形容器であって、クラムシェルヒンジ連結構造でそれらの細長い側部の１つに沿って互いにヒンジ連結された２つの同じ細長いトレー形容器を一般的に含むポータブル化粧品ケース。化粧品アプリケータおよび／または化粧品容器を受け入れ、保管するための複数の矩形プレートが、細長いトレー形容器の各々内に嵌まり、係合するように寸法決めされている。矩形プレートは、ブラシおよび先端にスポンジが付いたアプリケータによって例示される複数の化粧品アプリケータを取り外し可能に受け入れ、保管するように構成されているのがよい。矩形プレートは、複数の化粧品容器を受け入れ、保管するための１つまたはそれ以上のポーチを備えるのがよい。使用中に矩形プレートを支持するための折り曲げ可能な支持体が設けられているのがよい。【選択図】図２
2018504248.tif 000002
【特許請求の範囲】
【請求項１】
ポータブル化粧品ケースであって、該ポータブル化粧品ケースは、
１つの端で互いにヒンジ連結された１対の細長いトレー形容器を含み、前記１対の細長いトレー形容器の各々は、平らな面を含み、前記平らな面の周囲から離れる方に延びる側部を備え、前記側部は、前記平らな面の周囲のまわりに連続的なリムを形成し、
ヒンジ連結された端の反対側の端で前記細長いトレー形容器に解放可能に係合するための装置と、
前記１対の細長いトレー形容器の各々の１つの端近くで前記１対の細長いトレー形容器の各々の前記平らな面に係合された１対のスナップファスナと、
をさらに含むポータブル化粧品ケース。
【請求項２】
前記細長いトレー形容器の少なくとも１つは、前記平らな面の周囲から離れる方に延びる前記側部の１つの内側面に係合された１対のスナップファスナをさらに含む、請求項１に記載のポータブル化粧品ケース。
【請求項３】
少なくとも１つの矩形プレートをさらに含み、前記矩形プレートは、該矩形プレートの１つの側部に沿って細長い折り曲げ可能な端部分を有し、前記矩形プレートは、前記細長いトレー形容器の１つに係合された前記スナップファスナ対の少なくとも１つに取り外し可能に係合するように構成された１対のスナップファスナを有する、請求項１に記載のポータブル化粧品ケース。
【請求項４】
前記矩形プレートは、複数の化粧品アプリケータを取り外し可能に受け入れ、保管するように構成されている、請求項３に記載のポータブル化粧品ケース。
【請求項５】
前記矩形プレートは、１つまたはそれ以上の化粧品容器を取り外し可能に受け入れるための少なくとも１つのポーチを有する、請求項３に記載のポータブル化粧品ケース。
【請求項６】
前記矩形プレートは、該矩形プレートに対し支持体を形成するための少なくとも２つの折り曲げ可能な部分を有する、請求項３に記載のポータブル化粧品ケース。
【請求項７】
少なくとも１つの矩形プレートと取り外し可能に係合するように構成されたウエストベルトをさらに含む、請求項３に記載のポータブル化粧品ケース。
【発明の詳細な説明】
【技術分野】
【０００１】
本開示は、化粧品容器および化粧品アプリケータを収容するためのポータブルケースに関する。
【背景技術】
【０００２】
エンターテインメントおよびファッション産業は、対象者の外見を向上させるために人間対象者の皮膚に幅広い種々の化粧品をつけるプロのメイクアップアーティストに依存している。プロのメイクアップアーティストの仕事の例には、映画、ビデオ、テレビ放送、劇場、ファッション写真、ライブファッションプレゼンテーション、商業スチール写真、および、結婚式のような特別な時がある。
【０００３】
大部分のプロのメイクアップアーティストは、各人が演技または写真撮影に参加する直前に「現場で」自らの仕事を行う。したがって、プロのメイクアップアーティストは、彼らの商売道具、すなわち、選択された化粧品および選択されたアプリケータを組織化し、各仕事場に搬送しなければならない。したがって、プロのメイクアップアーティストは、特定の仕事に必要な種々の化粧品を組織化し、搬送可能な容器に詰め込まなければならない。プロのメイクアップアーティストはまた、必要なアプリケータを組織化し、搬送可能な容器に詰め込まなければならない。
【０００４】
プロのメイクアップアーティストは、現場で多くのチャレンジに遭遇する。例えば、彼らの仕事のために彼らに提供されるスペースは、通常大変小さく、狭苦しく、彼らの化粧品およびアプリケータをレイアウトするための仕事面は最小にしか利用できない。極めてしばしば、ごちゃ混ぜの他の化粧品容器に混ざった特定の化粧品容器を探すためにかなりの時間が浪費される。別の問題は、プロのメイクアップアーティストが、化粧品を多くの演技者および／モデルにつけなければならず、かかる状況では、各人のために別々にアプリケータを保管することによって厳格な衛生規格を維持することが必須であることである。現場で仕事をするときにプロのメイクアップアーティストが遭遇する更に別の問題は、化粧品を個人につけるときに多くの異なるアプリケータを使用して仕事を迅速かつ効率的に行わなければならないことである。個人に対するかかる手順中、必要な各アプリケータは、手近に維持され、かつ、使用しないときには衛生状態に維持されなければならない。
【発明の概要】
【０００５】
本開示の例示的な実施形態は、２つの同じ細長いトレー形容器であって、例えば、クラムシェルヒンジ連結構造でそれらの細長い側部の１つに沿って互いにヒンジ連結された２つの同じ細長いトレー形容器を一般的に含むポータブルケースに関する。化粧品アプリケータおよび／または化粧品容器を受け入れ、保管するための複数の矩形プレートが、細長いトレー形容器の各々内に嵌まり、係合するように寸法決めされている。矩形プレートは、ブラシおよび先端にスポンジが付いたアプリケータによって例示される複数の化粧品アプリケータを取り外し可能に受け入れ、保管するように構成されているのがよい。矩形プレートは、複数の化粧品容器を受け入れ、保管するための１つまたはそれ以上のポーチを備えるのがよい。使用中に矩形プレートを支持するための折り曲げ可能な支持体が設けられているのがよい。
【０００６】
本開示の例示的な実施形態を、添付の図面を参照して説明する。
【図面の簡単な説明】
【０００７】
【図１】本発明の例示的な実施形態による閉じられたポータブル化粧品ケースの斜視図である。
【図２】開かれた位置で示された図１の例示的なポータブル化粧品ケースの斜視図である。
【図３】図１の例示的なポータブル化粧品ケースの横断面図である。
【図４（Ａ）】例示的なbrushfolioプレートの正面図である。
【図４（Ｂ）】例示的なbrushfolioプレートの背面図である。
【図５（Ａ）】brushfolioプレートの例示的な代替実施形態の正面図である。
【図５（Ｂ）】brushfolioプレートの例示的な代替実施形態の背面図である。
【図６（Ａ）】化粧品容器を保管するためのメッシュコンパートメントを備えたプレートの例示的な代替実施形態の正面図である。
【図６】化粧品容器を保管するためのメッシュコンパートメントを備えたプレートの例示的な代替実施形態の背面図である。
【図７】プラスチック裏張りされた保管ポーチを備えたプレートの例示的な実施形態の正面図である。
【図８（Ａ）】brushfolioプレートおよび／または化粧品保管プレートのための支持体に折り曲げ可能な例示的な背面プレートの正面図である。
【図８（Ｂ）】三角形支持体に折り曲げられた例示的な背面プレートの側面図である。
【図８（Ｃ）】折り曲げられた背面プレートに係合され、支持されたプレートの側面図である。
【図９（Ａ）】brushfolioプレートおよび／または化粧品保管プレートのための支持体に折り曲げ可能な例示的な背面プレートの正面図である。
【図９（Ｂ）】三角形支持体に折り曲げられた例示的な背面プレートの側面図である。
【図９（Ｃ）】折り曲げられた背面プレートに係合され、支持されたプレートの側面図である。
【発明を実施するための形態】
【０００８】
本開示の例示的な実施形態は、一般的には、手持ちブック形ポータブル化粧品ケースに関する。例示的な化粧品ケースは、一般的には、２つの同じ細長いトレー形容器であって、クラムシェル型の構造でそれらの細長い側部の１つに沿って互いにヒンジ連結された２つの同じ細長いトレー形容器を含む。解放可能な閉じ機構が、少なくともヒンジ連結された細長い側部の反対側の細長いトレー形容器の細長い側部上に設けられている。
【０００９】
１つの観点によれば、細長いトレー形容器の寸法形状は、好ましくは、例示的な化粧品容器を、片手で容易に持ち運ぶことができ、或いは、脇に抱え込むことができ、或いは、細長いトレー形容器の１つの隅部に取り付けられたストラップより保持することができ、或いは、各端が細長いトレー形容器の１つの隅部に取り付けられたショルダストラップにより支持することができるように寸法決めされるのがよい。細長いトレー形容器の適当な面寸法形状は、例えば、限定的でなく、13.5cm×19cm、18cm×23cm、21.5cm×25.5cm、23cm×30.5cm、25.5cm×34.5cm、30.5cm×38cm、34cm×43.5cmである。細長いトレー形容器の側部の適当な深さは、例えば、限定的でなく、0.5cm、1cm、1.5cm、2cm、2.5cm、3cm、3.5cm、4cm、4.5cm、5cm、６cm、6.5cm、7cm、7.5cm、8cm、および、それらの間である。
【００１０】
細長いトレー形容器は、好ましくは、プラスチック、ポリカーボネート、シート金属、木材、複合材等によって例示される耐久性の剛性材料からなる。代替的には、細長いトレー形容器は、プラスチックフィルム内に包まれたボール紙の厚いシートによって例示される半剛性材料、或いは、革、或いは、ファブリック、或いは、弾力性ポリマー材料で作られてもよい。
【００１１】
本開示の１つの実施形態による例示的なポータブル化粧品ケースが、図１−図３に示されており、２つの同じ細長いトレー形容器１２が、それらの細長い側部の１つに沿ってヒンジ連結されている。任意の適当なヒンジ装置を使用して、細長いトレー形容器の各対をヒンジ連結することができる。ポータブル化粧品ケースが搬送中に確実に閉じられたままになるように、１対の細長いトレー形容器の３つの残りの側部に沿ってジッパー１３が設けられているのが好ましい。キャリーストラップ１５が、ジッパー１３のタングに取り付けられている。使用のために必要なときに、ジッパー１３は開けられて、２つの細長いトレー形容器１２は、フックを開けるのと同様な仕方で開かれる。所望ならば、ヒンジ連結された端とは反対側の細長いトレー形容器の２つの側部に解放可能に係合するための他の適当な装置が、設けられてもよい。例えば、ストラップおよびバックル、VELCRO（VELCROは、Velcro Industries B.V.Ltd., Curacao, Netherlandsの登録商標である）が面付けされたストラップ対、キーロックラッチ、コンビネーションロックラッチ等。
【００１２】
本開示のもう１つの例示的な実施形態によれば、化粧品アプリケータおよび／または化粧品容器を受け入れ、保管するための複数の矩形プレートが、細長いトレー形容器の各々内に嵌まり、取り外し可能に係合するように寸法決めされている。矩形プレートは、図２−図５に矩形プレート２０、３０、４０、５０によって示されているように、ブラシおよび先端にスポンジが付いたアプリケータによって例示される複数の化粧品アプリケータを取り外し可能に受け入れ、保管するように構成されるのがよい。「brushfolioプレート」とも呼ばれるこれらの矩形プレート２０、３０、４０、５０は、一般的には、折り曲げ可能な細長い縁部２６、３６、４６、５６を備える矩形の平らな面２２、３２、４２、５２を含む。折り曲げ可能な細長い縁部２６、３６、４６、５６の各々は、トレー形容器の１つの細長い縁部に沿って設けられた対応する１対のスナップファスナに取り外し可能に係合するように構成された１対のスナップファスナ２４（図示せず）、３４、４４、５４を備える。トレー形容器の内側側部に沿って追加の対のスナップファスナを設けてもよい。図２−図３に示されている例示的なポータブル化粧品ケース１０のトレー形容器１２の各々は、その細長い内側面およびそのヒンジ連結された側部に沿って１対のスナップファスナを含み、それによって、４つのbrushfolioプレートの取り外し可能な係合を可能にする。本願に開示されているポータブル化粧品ケースを５つ以上のbrushfolioプレート、或いは、他の型の矩形プレートに取り外し可能に係合するように構成するのが望ましい場合には、トレー形容器の内側面上におよび／またはヒンジ連結された側部の反対側の細長い側部に沿って追加の対のスナップファスナを設けてもよく、それによって、４つまでの追加の矩形プレートに係合するためのスナップファスナを提供することができる。化粧品アプリケータを取り外し可能に受け入れ、収容するための図２−図５に示された例示的なbrushfolioプレート２０、３０、４０、５０は、２つの間隔を隔てて配置された弾力性材料ストリップ２５、３８、４８、５８を備え、弾力性材料ストリップ２５、３８、４８、５８は、異なる径を有するアプリケータの柄を確実に取り付け、収容するために選択された繰り返し間隔でbrushfolioプレート２０、３０、４０、５０に固定されている。
【００１３】
もう１つの観点によれば、矩形プレートは、複数の化粧品容器を受け入れ、保管するための１つまたはそれ以上のポーチを備える。図６（Ａ）は、細長い解放可能な再シール可能なプレスシールクロージャ６８を備えたメッシュポーチ６２を有する例示的な化粧品保管プレート６０を示している。所望ならば、ポーチを開き、閉じるためのジッパー、或いは、VELCROタブ、或いは、他のかかる適当なクロージャを使用することは随意である。化粧品保管プレート６０は、本願に開示された例示的な化粧品ケースのトレー形容器の１つの細長い縁部に沿って１対のスナップファスナと解放可能に係合するための１対のスナップファスナ、或いは、例示的な化粧品ケースのトレー形容器の１つの内側側部に沿って設けられた１対のスナップファスナを同様に備える折り曲げ可能な細長い縁部６６を有する。所望ならば、化粧品保管ポーチが、各々が自身のクロージャを有する２つ、または、３つ、または  ４つの個別のメッシュポーチを有することは随意である。分離され、細長い解放可能な再シール可能なプレスシールクロージャ７８a、７８bを通して接近可能な３つのメッシュポーチ７２a、７２b、７2cを有する例示的な複数ポーチ付き化粧品保管ポーチが図６（Ｂ）に示されている。化粧品保管プレート７０は、本願に開示された例示的な化粧品ケースのトレー形容器の１つの細長い縁部に沿って設けられた１対のスナップファスナと解放可能に係合するための１対のスナップファスナ７４を備え、或いは、例示的な化粧品ケースのトレー形容器の１つの細長い縁部に沿って１対のスナップファスナを備え、或いは、例示的な化粧品ケースのトレー形容器の１つの内側側部に沿って１対のスナップを備える。
【００１４】
プロのメイクアップアーティストが使用する化粧品のいくつかは、ある程度の流動性を有し、したがって、容器が密封されていないと、容器から外に漏れ、或いは、浸出することがある。したがって、本開示のもう１つの観点は、化粧品保管プレートであって、それらの側部の１つと係合される漏れ防止ポーチを有する化粧品保管プレートに関する。漏れ防止ポーチ８２を備えた例示的な化粧品保管プレート８０が、図７に示されている。漏れ防止ポーチは、水密ジッパー８８により解放可能にシール可能である。しかしながら、所望ならば、細長い解放可能な再シール可能なプレスシール型のクロージャにより解放可能にシール可能である漏れ防止ポーチは、本開示の範囲内にある。化粧品保管プレート８０は、本願に開示された例示的な化粧品ケースのトレー形容器の１つの細長い側部に沿って設けられた１対のスナップファスナと解放可能に係合するための１対のスナップファスナ８４、或いは、例示的な化粧品ケースのトレー形容器の１つの内側面に沿って設けられた１対のスナップファスナを同様に備える折り曲げ可能な縁部８６を有する。
【００１５】
本開示の例示的なbrushfolioプレートおよび化粧品保管プレートは、好ましくは、プラスチック、ポリカーボネート、シート金属、木材、複合材等によって例示される耐久性の剛性材料で作られている。代替的には、brushfolioプレートは、プラスチックフィルム内に包まれたボール紙の厚いシートによって例示される半剛性材料、或いは、革、或いは、ファブリック、或いは、弾力性ポリマー材料で作られてもよい。
【００１６】
現場で仕事をするプロのメイクアップアーティストが通常直面するチャレンジは、化粧品を個人につける間に、彼らの化粧品アプリケータおよび化粧品容器が手近にあり、容易に接近可能にすることである。本発明のもう１つの実施形態は、Ｖ字形または三角形支持体の１つまたはそれ以上に折り曲げ可能である２つ、または、３つ、または、４つの細長い部分を有する折り曲げ可能な支持体に関する。例示的な折り曲げ可能な支持体９０が、図８（Ａ）に示されており、４つの細長い部分９０a、９０b、９０c、９０dを含み、図８（Ｂ）に示されているような細長い３角形支持体に折り曲げ可能である。折り曲げ可能な支持体９０は、本願に開示された例示的なbrushfolioプレート３０および／または、例えば、図８（Ｃ）に示されているような例示的な化粧品保管プレートの細長い縁部３６に沿って設けられた１対のスナップファスナと解放可能に係合するための１対のスナップファスナを同様に備え、brushfolioプレート３０の細長い縁部３６に沿った１対のスナップファスナ（図示せず）は、折り曲げ可能な支持プレート９０の細長い縁部９６と取り外し可能に係合される。
【００１７】
本開示のもう１つの例示的な実施形態は、ウエストベルトであって、該ウエストベルトの一方または両方の端部近くでbrushfolioプレートまたは化粧品保管プレートに取り外し可能に係合するように構成されたウエストベルトに関する。例示的なウエストベルト１００が、図９（Ａ）−図９（Ｃ）に示されており、バックル１０３を有する第１の端部１０２、および、バックル１０３に調節可能に係合するための複数のオリフィスを有する第２の端部１０６を含む。ウエストバンド部分１０４が、第１の端部１０２と第２の端部１０６の間に介在されている。少なくとも１つの細長いスロット１０８が第２の端部１０６近くでウエストバンド部分１０４に設けられている。所望ならば、図９（Ａ）に示されているような１対の細長いスロットを設けることは随意である。プレート１１５の折り曲げ可能な細長い縁部１１７が、細長いスロット１０８の１つを通して挿入され、折り返される。１対のスナップファスナ１２２aを有するリテーナタブ１２０が、折り曲げられる細長い縁部１１７上に設けられた１対のスナップファスナ１２２bに取り外し可能に係合されており、それによって、ウエストバンド部分１０４のまわりにプレート１１５を取り付ける。次いで、プロのメイクアップアーティストは、下腹部のまわりにウエストベルト１００を配置し、第１の端部１０２のバックル１０３を第２の端部１０６近くのオリフィスの１つと係合させる。取り付けられたプレート１１５の位置および接近性は、細長いスロット１０８内でプレート１１５を前後に移動させることによって調節することができる。複数のスナップファスナ１１０が、第１の端部近くに設けられており、別の型の化粧品ケースまたはホルダ（図示せず）の取り外し可能な係合のために使用することができる。例示的なウエストバンドの第１の端部および第２の端部近くに少なくとも１つのスロットを設け、或いは、例示的なウエスバンドの両方の端部近くに１対の細長いスロットを設けることは随意であることに留意すべきである。本願に記載されている例示的なウエストバンドのために代替的な締結クロージャを使用することは、本開示内にある。例えば、適当なのは、VELCROクロージャ、スリップリング、フックおよびグロメット等である。
【図１】
2018504248.tif 000003
【図２】
2018504248.tif 000004
【図３】
2018504248.tif 000005
【図４（Ａ）】
2018504248.tif 000006
【図４（Ｂ）】
2018504248.tif 000007
【図５（Ａ）】
2018504248.tif 000008
【図５（Ｂ）】
2018504248.tif 000009
【図６（Ａ）】
2018504248.tif 000010
【図６（Ｂ）】
2018504248.tif 000011
【図７】
2018504248.tif 000012
【図８（Ａ）】
2018504248.tif 000013
【図８（Ｂ）】
2018504248.tif 000014
【図８（Ｃ）】
2018504248.tif 000015
【図９（Ａ）】
2018504248.tif 000016
【図９（Ｂ）】
2018504248.tif 000017
【図９（Ｃ）】
2018504248.tif 000018
【国際調査報告】
2018504248.tif 000019
2018504248.tif 000020
2018504248.tif 000021